(57)【要約】【課題】パス切替における切り戻し作業の負荷を軽減し、切り戻し作業の時間短縮を図る。また、切替→切り戻し→再切替を柔軟に実施可能とし、既存の設計システムへの影響を最小限とする。【解決手段】切替先のＶＰ情報を含んだ切替指示に従ってＶＰを切り替えるパス切替制御方法において、切替元ＶＰを残存させたまま切替先ＶＰを新設し（Ｓ５１）、切替元ＶＰと切替先ＶＰの両方を復帰可能な状態としたまま切替先ＶＰへの切替を行う（Ｓ５２）。次に、切替判定を行う（Ｓ５３）。完了確定ならば、切替元ＶＰを廃止し（Ｓ５６）、取消しならば、切替元ＶＰへ切り戻した後、切替先ＶＰを廃止する（Ｓ５７）。Ｓ５６、Ｓ５７では設計システムに廃止Ｏｒｄｅｒ及び新設Ｏｒｄｅｒの結果として応答を返す。切替が延期されれば、切替先ＶＰを復帰可能な状態としたまま切替元ＶＰへの切り戻しを行う（Ｓ５４）。その後、再切替を行うこともできる（Ｓ５５、Ｓ５２）。延期の場合は廃止Ｏｒｄｅｒ及び新設Ｏｒｄｅｒは未完了なので応答は返さない。【選択図】  図１０
2004187169.tif 000002
【特許請求の範囲】
【請求項１】
通信ネットワークの２つのノード間の通信経路となるパスを、予め定められた切替先のパス情報を含んだ切替指示に従って切り替えるパス切替制御方法であって、
切替元のパスを残存させたまま、切替先のパスを新設するパス新設工程と、
切替元のパスと切替先のパスの両方を復帰可能な状態としたまま、切替元のパスから切替先のパスへの切替を行う切替工程と、
を有するパス切替制御方法。
【請求項２】
前記切替工程における切替先のパスへの切替が完了確定となった場合、切替元のパスを廃止する切替元廃止工程と、
前記切替工程における切替先のパスへの切替が取り消された場合、切替後であれば、切替元パスへの切り戻しを行った後、切替先パスを廃止し、切替前であれば、即に切替先パスを廃止する切替先廃止工程と、
前記切替工程における切替先のパスへの切替が延期された場合、切替先パスを復帰可能な状態としたまま、切替元パスへの切り戻しを行う切り戻し工程と、
をさらに有する請求項１記載のパス切替制御方法。
【請求項３】
前記パス新設工程での切替先パスの新設によって、切替取消しが可能な切替待ち状態に遷移し、
前記切替工程での切替実施によって、
切替取消し、切替延期及び切替の確定のうち１つを選択可能な切替判定待ち状態に遷移することを特徴とする請求項１又は２に記載のパス切替制御方法。
【請求項４】
通信ネットワークの２つのノード間の通信経路となるパスを設計する設計システムによって生成された切替元のパスの廃止指示及び切替先のパスの新設指示をセットで受信し、廃止指示のパスから新設指示のパスへ切り替える通信ネットワーク管理システムであって、
切替元のパスを残存させたまま、切替先のパスを新設するパス新設手段と、
切替元のパスと切替先のパスの両方を復帰可能な状態としたまま、切替元のパスから切替先のパスへの切替を行う切替手段と、
を備えた通信ネットワーク管理システム。
【請求項５】
前記切替手段による切替先のパスへの切替が完了確定となった場合、切替元のパスを廃止する切替元廃止手段と、
前記切替手段による切替先のパスへの切替が取り消された場合、切替後であれば、切替元パスへの切り戻しを行った後、切替先パスを廃止し、切替前であれば、即に切替先パスを廃止する切替先廃止手段と、
前記切替手段による切替先のパスへの切替が延期された場合、切替先パスを復帰可能な状態としたまま、切替元パスへの切り戻しを行う切り戻し手段と、
をさらに備えた請求項４記載の通信ネットワーク管理システム。
【請求項６】
切替の構成、切替実行タイミング及び切替実行結果を設計システムに対し隠蔽したまま、設計システムからの切替元のパスの廃止指示及び切替先のパスの新設指示に対し、切替が完了又は取り消され切替元のパスの廃止及び切替先パスの新設が確定した場合に当該廃止の成否及び当該新設の成否のみを設計システムに応答する応答手段をさらに備えた請求項４又は５に記載の通信ネットワーク管理システム。
【発明の詳細な説明】
【０００１】
【発明の属する技術分野】
本発明は、パス切替制御方法及び通信ネットワーク管理システムに係り、より詳しくは、通信ネットワークの２つのノード間の通信経路となるパスを、予め定められた切替先のパス情報を含んだ切替指示に従って切り替えるパス切替制御方法、及び通信ネットワーク管理システムに関する。
【０００２】
【従来の技術】
従来より、ＡＴＭ（Ａｓｙｎｃｈｒｏｎｏｕｓ  Ｔｒａｎｓｆｅｒ  Ｍｏｄｅ：非同期転送モード）交換機等の通信装置からなる通信ネットワークシステムにおけるパス切替に関するさまざまな技術が提案されている。例えば、下記の特許文献１には、切替時のデータ欠落防止を目的として、中継回線から送信されてくる情報を引き込めるようにパスの切換えを行う遷移状態パスパターンを持つ技術が記載されている。
【０００３】
【特許文献１】
特開平２００１−２６８１０１号公報
【０００４】
【発明が解決しようとする課題】
しかし、従来は以下のような問題点があった。例えば、基地局（ＢＴＳ：Ｂａｓｅ  Ｔｒａｓｆｅｒ  Ｓｔａｔｉｏｎ）Ａの収容を無線制御装置（ＲＮＣ：Ｒａｄｉｏ  Ｎｅｔｗｏｒｋ  Ｃｏｎｔｒｏｌｌｅｒ）Ｃから無線制御装置Ｄに変更する場合、基地局Ａ〜ＡＴＭ伝送装置（ＡＴＭ−ＭＵＸ）Ｂ〜無線制御装置Ｃのパス（Ａ−Ｂ−Ｃのパス）を、基地局Ａ〜ＡＴＭ伝送装置Ｂ〜無線制御装置Ｄのパス（Ａ−Ｂ−Ｄのパス）へ切替が必要となるが、無線制御装置及び無線制御装置を収容する交換機、更には基地局などの切替不能が原因で、パスは正常に切り替わってもサービスが提供できないケースが発生する。この場合、切替先のパスを元に切り戻す必要が出てくるが、ポイントツーポイントパス（２点間で終端するパス）を管理する従来の通信ネットワークシステムにおいて、片端が変更になったパスは別パスとして扱われる。このため、上述の例の場合、Ａ−Ｂ−Ｃパスの廃止とＡ−Ｂ−Ｄパスの新設が必要となり、また、切り戻しを行う場合には、既に新設した切替先ＶＰを廃止し、既に廃止した切替元ＶＰを再度新設する必要があった。これら切り戻しのための切替先ＶＰの廃止、切替元ＶＰの新設は、パス設計システムでの再設計から必要となり莫大な稼動がかかる上、切り戻しの作業中は、停波となりサービス停止時間も長期化する。また、切り戻し後に再切替を行う場合には、設計から切替までの作業を再度実施する必要があるため莫大な稼動がかかってしまう。更に、これを解決するためには、設計システムに合わせて、Ａ−Ｂ−ＣパスからＡ−Ｂ−Ｄパスへの切替という概念を導入する必要があるが、設計システム及びネットワーク管理システム（ＮＭＳ）への影響が大き過ぎる。
【０００５】
本発明は、上記課題を解決するために成されたものであり、パス切替における切り戻し作業の負荷を軽減し、切り戻し作業の時間短縮を図ることができ、切替、切り戻し、切り戻し後の再切替を柔軟に実行することができるパス切替制御方法及び通信ネットワーク管理システムを提供することを目的とする。
【０００６】
【課題を解決するための手段】
上記目的を達成するために、本発明に係るパス切替制御方法は、請求項１に記載したように、通信ネットワークの２つのノード間の通信経路となるパスを、予め定められた切替先のパス情報を含んだ切替指示に従って切り替えるパス切替制御方法であって、切替元のパスを残存させたまま、切替先のパスを新設するパス新設工程と、切替元のパスと切替先のパスの両方を復帰可能な状態としたまま、切替元のパスから切替先のパスへの切替を行う切替工程とを有することを特徴とする。
【０００７】
このような本発明に係るパス切替制御方法では、予め定められた切替先のパス情報を含んだ切替指示に従ってパスを切り替えるに際し、パス新設工程にて、切替元のパスを残存させたまま切替先のパスを新設し、切替工程にて、切替元のパスと切替先のパスの両方を復帰可能な状態としたまま、切替元のパスから切替先のパスへの切替を行う。これにより、当該パス切替の不具合や当該パス切替以外の両端の終端装置等に不具合があり、切り戻しを行う場合、切替元のパスが復帰可能な状態で残っているため、従来のように切り戻し先のパスを再設計し新設する必要はなく、当該切替元のパスへの切り戻しを容易に行うことができる。即ち、パス切替における切り戻し作業の負荷を軽減するとともに、切り戻し作業の時間短縮を図ることができる。
【０００８】
また、本発明に係るパス切替制御方法は、請求項２に記載したように、切替工程における切替先のパスへの切替が完了確定となった場合、切替元のパスを廃止する切替元廃止工程と、切替工程における切替先のパスへの切替が取り消された場合、切替後であれば、切替元パスへの切り戻しを行った後、切替先パスを廃止し、切替前であれば、即に切替先パスを廃止する切替先廃止工程と、切替工程における切替先のパスへの切替が延期された場合、切替先パスを復帰可能な状態としたまま、切替元パスへの切り戻しを行う切り戻し工程とをさらに有することを特徴とする。
【０００９】
この場合、切替工程における切替先のパスへの切替が完了確定となれば、切替元廃止工程にて切替元のパスを廃止することができる。また、切替先廃止工程では、切替工程における切替先のパスへの切替が取り消された場合、切替後であれば、切替元パスへの切り戻しを行った後、切替先パスを廃止し、切替前であれば、即に切替先パスを廃止することができ、また、切替工程における切替先のパスへの切替が延期されれば、切り戻し工程にて切替先パスを復帰可能な状態としたまま、切替元パスへの切り戻しを行うことができる。即ち、本発明では、切替時に、切替元のパスと切替先のパスの両方を復帰可能な状態で保持するため、切替の完了確定、切替の取消、切替の延期の何れの場合でも、その後の処理を円滑且つ迅速に行うことが可能となる。
【００１０】
また、本発明に係るパス切替制御方法は、請求項３に記載したように、パス新設工程での切替先パスの新設によって、切替取消しが可能な切替待ち状態に遷移し、切替工程での切替実施によって、切替取消し、切替延期及び切替の確定のうち１つを選択可能な切替判定待ち状態に遷移することを特徴とする。このように切替先パスの新設によって、切替取消しが可能な切替待ち状態に遷移することで、切替前でも切替取消しを可能とし、また、切替実施によって、切替取消し、切替延期及び切替の確定のうち１つを選択可能な切替判定待ち状態に遷移することで、切替取消し、切替延期及び切替の確定のいずれも選択可能となり、処理を柔軟に実行することが可能となる。
【００１１】
ところで、本発明は、上記のようにパス切替制御方法の発明として記述できる他に、以下のように、通信ネットワーク管理システムの発明としても記述できる。
【００１２】
即ち、本発明に係る通信ネットワーク管理システムは、請求項４に記載したように、通信ネットワークの２つのノード間の通信経路となるパスを設計する設計システムによって生成された切替元のパスの廃止指示及び切替先のパスの新設指示をセットで受信し、廃止指示のパスから新設指示のパスへ切り替える通信ネットワーク管理システムであって、切替元のパスを残存させたまま、切替先のパスを新設するパス新設手段と、切替元のパスと切替先のパスの両方を復帰可能な状態としたまま、切替元のパスから切替先のパスへの切替を行う切替手段とを備えたことを特徴とする。
【００１３】
このような本発明に係る通信ネットワーク管理システムでは、設計システムによって生成された切替元のパスの廃止指示及び切替先のパスの新設指示をセットで受信し、廃止指示のパスから新設指示のパスへ切り替えるに際し、パス新設手段が、切替元のパスを残存させたまま切替先のパスを新設し、切替手段が、切替元のパスと切替先のパスの両方を復帰可能な状態としたまま、切替元のパスから切替先のパスへの切替を行う。これにより、当該パス切替の不具合や当該パス切替以外の両端の終端装置等に不具合があり、切り戻しを行う場合、切替元のパスが復帰可能な状態で残っているため、従来のように切り戻し先のパスを再設計し新設する必要はなく、当該切替元のパスへの切り戻しを容易に行うことができる。即ち、パス切替における切り戻し作業の負荷を軽減するとともに、切り戻し作業の時間短縮を図ることができる。
【００１４】
また、本発明に係る通信ネットワーク管理システムは、請求項５に記載したように、切替手段による切替先のパスへの切替が完了確定となった場合、切替元のパスを廃止する切替元廃止手段と、切替手段による切替先のパスへの切替が取り消された場合、切替後であれば、切替元パスへの切り戻しを行った後、切替先パスを廃止し、切替前であれば、即に切替先パスを廃止する切替先廃止手段と、切替手段による切替先のパスへの切替が延期された場合、切替先パスを復帰可能な状態としたまま、切替元パスへの切り戻しを行う切り戻し手段とをさらに備えたことを特徴とする。
【００１５】
この場合、切替手段による切替先のパスへの切替が完了確定となれば、切替元廃止手段により切替元のパスを廃止することができる。また、切替手段による切替先のパスへの切替が取り消された場合には、切替先廃止手段によって、切替後であれば、切替元パスへの切り戻しを行った後、切替先パスを廃止し、切替前であれば、即に切替先パスを廃止することができ、また、切替先のパスへの切替が延期されれば、切り戻し手段により、切替先パスを復帰可能な状態としたまま、切替元のパスへの切り戻しを行うことができる。即ち、本発明では、切替時に、切替元のパスと切替先のパスの両方を復帰可能な状態で保持するため、切替の完了確定、切替の取消、切替の延期の何れの場合でも、その後の処理を円滑且つ迅速に行うことが可能となる。
【００１６】
また、本発明に係る通信ネットワーク管理システムは、請求項６に記載したように、切替の構成、切替実行タイミング及び切替実行結果を設計システムに対し隠蔽したまま、設計システムからの切替元のパスの廃止指示及び切替先のパスの新設指示に対し、切替が完了又は取り消され切替元のパスの廃止及び切替先パスの新設が確定した場合に当該廃止の成否及び当該新設の成否のみを設計システムに応答する応答手段をさらに備えたことを特徴とする。
【００１７】
この場合、設計システムへの応答としては、切替が完了又は取り消され切替元のパスの廃止及び切替先パスの新設が確定した場合に当該廃止の成否及び当該新設の成否のみが返される。切替延期の場合は、切替元のパスと切替先のパスのどちらへも復帰可能な状態で残しておくので、設計システムに応答は返さず、設計システムからは処理中として見えている。また、設計システムへの応答は、あくまで廃止オーダ及び新設オーダに対する応答として返す。従って、設計システムは、切替というものを意識する必要がなく、一切の影響を受けず、システムの変更等を要しないという効果が得られる。
【００１８】
【発明の実施の形態】
以下、本発明の実施の形態を図面に基づいて説明する。
【００１９】
［▲１▼システム構成の説明］
図１は、本発明の実施の一形態に係る通信ネットワーク管理におけるオペレーションシステム１００および該オペレーションシステム１００の管理対象となる管理対象装置の一例を示す図である。なお、本実施形態では、通信ネットワークの一例として移動通信ネットワークを取り上げて説明する。上記オペレーションシステム１００が、本発明に係る通信ネットワーク管理システムに相当する。
【００２０】
オペレーションシステム１００は、管理対象装置となる無線基地局６００（以下、ＢＴＳ（Ｂａｓｅ  Ｔｒａｎｓｃｅｉｖｅｒ  Ｓｔａｔｉｏｎ）という）と、無線制御装置（以下、ＲＮＣ（Ｒａｄｉｏ  Ｎｅｔｗｏｒｋ  Ｃｏｎｔｒｏｌｌｅｒ）という）２００の区間（以下、ＲＡＮ（Ｒａｄｉｏ  Ａｃｃｅｓｓ  Ｎｅｔｗｏｒｋ）という）のパス設計および該パス設計で生成されたオーダーを実行して上記区間のパスを開通させる役割を担う。本例において、上記オペレーションシステム１００が管理する管理対象装置は、具体的には、ＲＮＣ２００、ＲＮＣ側のＡＴＭ多重化装置（以下、ＡＴＭ−ＭＵＸという）３００、ＢＴＳ６００、ＢＴＳ側のＡＴＭ−ＭＵＸ４００およびＡＴＭ−Ｓ−ＭＵＸ５００である。本例ではこれらの装置をＮＥ（Ｎｅｔｗｏｒｋ  Ｅｑｕｉｐｍｅｎｔ：ネットワーク装置）と呼んで説明する。
【００２１】
上記オペレーションシステム１００は、パス設計システム１０と、ＮＭＳ（Ｎｅｔｗｏｒｋ  Ｍａｎａｇｅｍｅｎｔ  Ｓｙｓｔｅｍ：ネットワーク管理システム）２０と、ＮＥ管理システム３０とで構成される。パス設計システム１０とＮＭＳ２０はＬＡＮで接続されデータのやり取りが行えるようになっている。ＮＭＳ２０とＮＥ管理システム３０は、本例では、１つの装置の中に並存している形態を例にとり説明を行うが、本発明はこのような形態に限らず、ＮＭＳ２０とＮＥ管理システム３０が個々の装置で構成されているような形態であってもよい。ＮＥ管理システム３０には、パス設定やＮＥ設定を仲介するＮＥメディエーション３１〜３２が備えられ、ＮＥ管理システムとＮＥメディエーション間は例えば、ＬＡＮを用いてデータの送受が行われる。
【００２２】
パス設計システム１０では、トラヒックデータ等の需要予測に基づいて算出されるパス容量等から仮想パス（Ｖｉｒｔｕａｌ  Ｐａｔｈ：以下「ＶＰ」という。）の収容設計が行われ、該ＶＰの収容設計情報をもとに『Ｏｒｄｅｒ（オーダー）』を生成する。そして、その生成したＯｒｄｅｒ（送信Ｏｒｄｅｒ）をＮＭＳ２０に送出する役割を担う。パス設計システム１０から送出されるＯｒｄｅｒの送出形態は、ＶＰやＮＥの構築形態、例えば、初期構築や追加構築などの構築形態によって変わり、さらに上記Ｏｒｄｅｒには、装置ＩＤやパス名、パス構成などネットワーク装置（ＮＥ）やパスの設定情報が含まれる。
【００２３】
ＮＭＳ２０は、パス設計システム１０からＯｒｄｅｒを受け取り、そのＯｒｄｅｒの内容に従ってパスやＮＥの設定、生成、削除などが行われるよう設定要求（ＮＥ設定要求）をＮＥ管理システム３０に送る。このＮＥ設定要求は、ＮＥメディエーション３１〜３２を介してＡＴＭ−ＭＵＸ３００（実線矢印）およびＢＴＳ側のＡＴＭ−ＭＵＸ４００を経由してＡＴＭ−Ｓ−ＭＵＸ（点線矢印）５００に送られ、それぞれのＮＥにおいて該ＮＥ設定要求に含まれる情報の内容に従ったパスの設定やＮＥの設定が行われる。
【００２４】
このように各ＮＥの設定、パスの設定はパス設計システム１０から送出されるＯｒｄｅｒに基づいて行われる。
【００２５】
図２は、送信Ｏｒｄｅｒのイメージを示す図である。同図に示すように、送信Ｏｒｄｅｒには、ＮＥに対するＯｒｄｅｒ（例：ＡＴＭ−ＭＵＸ３００、４００、ＡＴＭ−Ｓ−ＭＵＸ５００の送信架や同装置内のＩＦ  Ｂｏａｒｄに対するＯｒｄｅｒ）やパスに対するＯｒｄｅｒ（例：ＶＰやＶＣ（ＶＣ４／３２）に対するＯｒｄｅｒ）等がある。
【００２６】
ＮＭＳ２０では、受信したＯｒｄｅｒを予め定められた実行順序にて実行する。また、ＮＭＳ２０ではＯｒｄｅｒが実行されると、Ｏｒｄｅｒ処理の進捗通知をパス設計システムに行う。本発明では、この進捗通知を、業務プロセスごとに行うのでなく、Ｏｒｄｅｒ管理系とＯｒｄｅｒ実行系のプロセスに分けて配置し、互いのプロセス間通信のみでＯｒｄｅｒの進捗管理を実現する。
【００２７】
尚、ＮＥにおけるＲＮＣ側のＡＴＭ−ＭＵＸ３００とＢＴＳ側のＡＴＭ−ＭＵＸ４００の通信はマイクロ波帯のエントランス回線を利用する形態であっても、ＳＤＨ（ｓｙｎｃｈｒｏｎｏｕｓ  ｄｉｇｉｔａｌ  ｈｉｅｒａｒｃｈｙ）伝送装置を利用する形態であってもよく、いずれの形態でも本発明を限定するものでない。
【００２８】
図３は、本発明のネットワーク管理システムの一構成であるパス設計システム１０の機能ブロックの構成例を示すものである。
【００２９】
図３において、このパス設計システム１０は、クライアント／サーバー・システムであって、クライアント側は、オペレーティング・システム１１、業務用アプリケーション１２、データベース・サーバーとアクセスするためのインタフェース１３などが備えられる。一方、サーバー側は、オペレーティング・システム１４、関係データベース管理システム（ＲＤＢＭＳ）１５、クライアント側とアクセスするためのインタフェース１６、業務用アプリケーション１７、ＢＴＳ６００やＲＮＣ２００の無線ネットワーク装置（ＲＡＮ：Ｒａｄｉｏ  Ａｃｃｅｓｓ  Ｎｅｔｗｏｒｋ）の無線諸元に係る情報を得るための通信用ＡＰＩ（Ａｐｐｌｉｃａｔｉｏｎ  Ｐｒｏｇｒａｍ  Ｉｎｔｅｒｆａｃｅ）１８が備えられる。また、上記通信用ＡＰＩには、ＬＡＮでＮＭＳ２０との通信を行うプロトコルなどが備えられる。
【００３０】
図４は、本発明のネットワーク管理システムの一構成であるＮＭＳ２０の機能ブロックの構成例を示すものである。
【００３１】
図４において、このＮＭＳ２０は信頼性向上のため二重化（０系、１系）がとられる。０系、１系とも同構成であるので、以下、０系を例にとり説明する。
【００３２】
本ＮＭＳ２０の０系は、オペレーティング・システム２１、関係データベース管理システム（ＲＤＢＭＳ）２２、通信ＡＰＩ２３、業務用アプリケーション２４、冗長構成共通ＡＰＩ２５とで構成される。通信ＡＰＩは、パス設計システム１０やＮＭＳ２０用のＧＵＩ（ｇｒａｐｈｉｃａｌ  ｕｓｅｒ  ｉｎｔｅｒｆａｃｅ）ならびにＮＥ管理システム３０と接続するための通信インタフェース機能を備える。
【００３３】
上記の関係データベース管理システムには、パス設計システムから受信したＯｒｄｅｒを格納するデータベース（以下、オーダーＤＢという）と、移動通信ネットワークのすべての構成に係るデータを格納するデータベース（以下、構成ＤＢという）とが備えられる。
【００３４】
図５は、本発明のネットワーク管理システムの一構成であるＮＥ管理システム３０の機能ブロックの構成例を示すものである。
【００３５】
図５において、このＮＥ管理システム３０は前述したＮＭＳ２０と同様に信頼性向上の見地から二重化（０系、１系）がとられる。０系、１系とも同構成であるので、以下、０系を例にとり説明する。
【００３６】
本ＮＥ管理システム３０の０系は、オペレーティング・システム５１、関係データベース管理システム（ＲＤＢＭＳ）５２、通信ＡＰＩ５３、業務用アプリケーション５４、冗長構成共通ＡＰＩ５５とで構成される。通信ＡＰＩ５３には、ＧＵＩを持つ総合保守端末、ＮＭＳ２０およびＮＥメディエーション３１〜３２と通信をするための通信インタフェース機能が備えられる。
【００３７】
［▲２▼ＶＰ切替動作の説明］
以下、上記のようなシステムの下で実行されるＶＰ切替動作について説明する。
【００３８】
まず、図６を用いてＶＰ切替動作の環境を説明する。ここでは、図６において、黒の菱形で終端点を表した切替元ＶＰ８０から、黒丸で終端点を表した切替先ＶＰ９０へ切り替えるものとする。
【００３９】
切替元ＶＰ８０は、ビルＡに収容された無線基地局７２から、ビルＡに収容されたＡＴＭ−Ｓ−ＭＵＸ７０Ａ、ビルＢに収容されたＡＴＭ−ＭＵＸ７０Ｂ、ビルＣに収容されたＡＴＭ−ＭＵＸ７０Ｃを経由して、ＲＮＣ７４Ｃに至るＶＰである。また、切替先ＶＰ９０は、ビルＡに収容された無線基地局７２から、ビルＡに収容されたＡＴＭ−Ｓ−ＭＵＸ７０Ａ、ビルＢに収容されたＡＴＭ−ＭＵＸ７０Ｂ、ビルＣに収容されたＡＴＭ−ＭＵＸ７０Ｃ、ビルＤに収容されたＡＴＭ−ＭＵＸ７０Ｄを経由して、ＲＮＣ７４Ｄに至るＶＰである。
【００４０】
このため、両ＶＰの共通部分は、無線基地局７２から、ビルＡに収容されたＡＴＭ−Ｓ−ＭＵＸ７０Ａ、ビルＢに収容されたＡＴＭ−ＭＵＸ７０Ｂを経由して、ビルＣに収容されたＡＴＭ−ＭＵＸ７０Ｃのインタフェース７７に至るまでの部分であり、ＡＴＭ−ＭＵＸ７０Ｃが両ＶＰの切替点として抽出される。この切替点の抽出は、図６の無線基地局７２側から経路を順次比較することで行う。この経路比較は、対象経路の左右装置のＶＰＩまでの設定情報を比較することで行われる。このとき、相違が検出された経路の無線基地局７２側の装置が切替点として抽出される。
【００４１】
また、切替対象のＭＵＸとなるＡＴＭ−ＭＵＸ７０Ｃでは、未使用ＶＰＩを持つインタフェースと切替先ＶＰがダミークロスコネクトされる（この場合、同一インタフェース７８の未使用ＶＰＩとダミークロスコネクト）。そして、非共通部分、即ち、ＡＴＭ−ＭＵＸ７０Ｃにおけるインタフェース７８とＲＮＣ７４Ｄの間の区間について、事前の導通正常性の確認試験が行われる。なお、この確認試験は、ＮＭＳにより自動で行ってもよいし、所定のオペレータ（操作者）が行ってもよい。
【００４２】
ここで、事前の導通正常性が確認されれば、ＡＴＭ−ＭＵＸ７０Ｃが、上記の同一インタフェース７８におけるダミークロスコネクトをディスコネクトし、図６に破線Ｘで表すようにインタフェース７８からインタフェース７７への（即ち、切替元ＶＰと切替先ＶＰの共通部分へ向けての）コネクトを行うことで、切替元ＶＰ８０から切替先ＶＰ９０への切替を実行する。そして、この切替が完了した後、切替元ＶＰ８０の残経路（即ち、切替元ＶＰ８０における非共通部分）である、ＡＴＭ−ＭＵＸ７０Ｃの入口からＲＮＣ７４Ｃに至るまでの区間を廃止する。
【００４３】
以下、ＶＰ切替動作を、図７の事前作業と図８の当夜作業に分けて詳細に説明する。
【００４４】
まず、ＶＰ切替に関する事前作業については、図７に示すように、パス設計システム１０がオペレーションシステム１００に対し切替元ＶＰ廃止Ｏｒｄｅｒ及び切替先ＶＰ新設Ｏｒｄｅｒを送信し（図７のＳ０１）、これに対しオペレーションシステム１００がＯｒｄｅｒ受信応答を返す（Ｓ０２）。このとき、切替元ＶＰ廃止Ｏｒｄｅｒと切替先ＶＰ新設Ｏｒｄｅｒとは、セットで同時に送信される。
【００４５】
そして、オペレーションシステム１００のＧＵＩを介してオペレータが、上記の２つのＯｒｄｅｒの同時実行要求を行うと（Ｓ０３）、当該Ｏｒｄｅｒ実行要求がオペレーションシステム１００に送信され（Ｓ０４）、当該Ｏｒｄｅｒ実行要求を受信したオペレーションシステム１００は、切替ポイント抽出処理を実行する（Ｓ０５）。
【００４６】
この切替ポイント抽出処理では、図６の切替元ＶＰ８０と切替先ＶＰ９０との比較により、切替先ＶＰ９０における非共通部分（ＡＴＭ−ＭＵＸ７０ＣからＡＴＭ−ＭＵＸ７０Ｄを経由してＲＮＣ７４Ｄまでの区間）が導出され、この非共通部分についてＡＴＭ−ＭＵＸ７０Ｄが事前に設定を行う。なお、上記の非共通部分の導出は、図６の無線基地局７２側から経路を順次比較することで行う。この経路比較は、対象経路の左右装置のＶＰＩまでの設定情報を比較することで行われる。このとき、相違が検出された経路の無線基地局７２側の装置が切替点として決定される。図６の例では、ＡＴＭ−ＭＵＸ７０Ｃが切替点として決定される。
【００４７】
また、切替対象のＭＵＸとなるＡＴＭ−ＭＵＸ７０Ｃは、未使用ＶＰＩを持つインタフェースと切替先ＶＰがダミークロスコネクトされる（この場合、同一インタフェース７８の未使用ＶＰＩとダミークロスコネクト）（Ｓ０６）。
【００４８】
その後、オペレーションシステム１００からＧＵＩを介してオペレータへＯｒｄｅｒ実行結果が送信され（Ｓ０７）、オペレータは事前作業に関するＯｒｄｅｒ実行結果を確認することができる。これにより、切替待ち状態に入る（Ｓ０８）。
【００４９】
ここで、ＧＵＩを介してオペレータが、ダミークロスコネクト・導通試験要求をオペレーションシステム１００に要求すると（Ｓ０９、Ｓ１０）、上記非共通部分、即ち、ＡＴＭ−ＭＵＸ７０Ｃにおけるインタフェース７８とＲＮＣ７４Ｄの間の区間について、事前の導通正常性の確認試験が行われる（Ｓ１１）。この事前試験工程は、２オーダ同時実行要求時の指定により、切替待ち状態へ遷移する前に自動実行することも可能である。ここで、事前の導通正常性が確認されれば、ＡＴＭ−ＭＵＸ７０Ｃが、上記の同一インタフェース７８におけるダミークロスコネクトを解除する。そして、実行結果の応答がオペレーションシステム１００からＧＵＩを介してオペレータへ送信され（Ｓ１２）、オペレータは事前の導通試験の実行結果を確認することができる。これにより、ＶＰ切替に関する事前作業が終了する。
【００５０】
次に、ＶＰ切替に関する当夜作業を図８に基づき説明する。図８に示すように、ＧＵＩを介してオペレータが切替実行をオペレーションシステム１００に要求すると（Ｓ２１、Ｓ２２）、オペレーションシステム１００はＮＥに対し切替元ＶＰをディスコネクトし切替先ＶＰへコネクトすることで切替を実行する（Ｓ２３）。その後、オペレーションシステム１００は、ＧＵＩを介してオペレータへ切替実行結果を返送し（Ｓ２４）、切替判定待ち状態に入る（Ｓ２５）。オペレータは、両端のＲＮＣ、ＢＴＳの切替も含め全体作業の結果を確認し、切替判定（即ち、切替完了、切替取消、切替延期のいずれとするかの判定）を実行する（Ｓ２６）。この後は、判定結果が切替完了、切替取消、切替延期のいずれであるかによって、以下のような処理が行われる。
【００５１】
判定結果が切替完了の場合は、ＧＵＩを介してオペレータが切替完了をオペレーションシステム１００に要求すると（Ｓ２７）、オペレーションシステム１００はＮＥに対し切替元ＶＰの廃止を実行する（Ｓ２８）。その後、オペレーションシステム１００は、ＧＵＩを介してオペレータへ切替完了を通知し（Ｓ２９）、切替が正常に完了した状態となる（Ｓ３０）。最後に、オペレーションシステム１００はパス設計システム１０に対し、切替元ＶＰ廃止Ｏｒｄｅｒと切替先ＶＰ新設Ｏｒｄｅｒの実行結果として正常に完了した旨を、廃止Ｏｒｄｅｒ、新設Ｏｒｄｅｒの順でそれぞれ通知して（Ｓ３１）、処理を終了する。
【００５２】
判定結果が切替取消の場合は、ＧＵＩを介してオペレータが切替取消をオペレーションシステム１００に要求すると（Ｓ３２）、オペレーションシステム１００はＮＥに対し切替先ＶＰをディスコネクトし切替元ＶＰへコネクトすることで切り戻しを実行する。更に、切替先ＶＰの廃止を実行する（Ｓ３３）。その後、オペレーションシステム１００は、ＧＵＩを介してオペレータへ切替取消の完了を通知し（Ｓ３４）、切替が失敗した後の完了状態となる（Ｓ３５）。最後に、オペレーションシステム１００はパス設計システム１０に対し、切替元ＶＰ廃止Ｏｒｄｅｒと切替先ＶＰ新設Ｏｒｄｅｒの実行結果として実行が失敗した旨を、廃止Ｏｒｄｅｒ、新設Ｏｒｄｅｒの順でそれぞれ通知して（Ｓ３６）、処理を終了する。
【００５３】
判定結果が切替延期の場合は、ＧＵＩを介してオペレータが切替延期をオペレーションシステム１００に要求すると（Ｓ３７）、オペレーションシステム１００はＮＥに対し切替先ＶＰをディスコネクトし切替元ＶＰへコネクトすることで切り戻しを実行する（Ｓ３８）。このとき、切替先ＶＰの廃止は実行しない。その後、オペレーションシステム１００は、ＧＵＩを介してオペレータへ切替延期のための処理完了を通知し（Ｓ３９）、切替待ち状態に戻る（Ｓ４０）。このとき、切替元ＶＰ、切替先ＶＰはどちらも復帰可能な状態で残しており廃止Ｏｒｄｅｒ、新設Ｏｒｄｅｒは完了していないので、オペレーションシステム１００はパス設計システム１０に対し、Ｏｒｄｅｒ実行結果に関し何ら通知を行わない（Ｓ４１）。パス設計システム１０からはそれぞれのＯｒｄｅｒは処理中として見えている。
【００５４】
最後に、上記の図７、図８の処理におけるオペレーションシステム１００の動作に着目し、その動作の要部について図９、図１０に基づき説明する。
【００５５】
オペレーションシステム１００は、まず、切替元のＶＰを残存させたまま切替先のＶＰを新設する（図１０のＳ５１；図７のＳ０５、Ｓ０６に相当；図９の初期状態から切替待ち状態への移行に相当）。このとき、切替先ＶＰ９０における非共通部分９０Ａについて導通試験を行う。非共通部分９０ＡについてＡＴＭ−ＭＵＸ７０Ｄが事前に設定を行い、切替対象のＭＵＸとなるＡＴＭ−ＭＵＸ７０Ｃが、切替先ＶＰのクロスコネクトとして、同一インタフェース７８に対する未使用パスインタフェースにてダミークロスコネクトを設定する。これにより、非共通部分９０Ａ、即ち、ＡＴＭ−ＭＵＸ７０Ｃにおけるインタフェース７８とＲＮＣ７４Ｄの間の区間について、事前の導通試験が可能となる。
【００５６】
次に、切替元のＶＰと切替先のＶＰの両方を復帰可能な状態としたまま切替先のＶＰへ切り替える（図１０のＳ５２；図８のＳ２１、Ｓ２２、Ｓ２３、Ｓ２４に相当；図９の切替待ち状態から判定待ち状態への移行に相当）。ここでは、ＡＴＭ−ＭＵＸ７０Ｃにおいて、同一インタフェース７８におけるダミークロスコネクトをディスコネクトし、図６に破線Ｘで表すようにインタフェース７８からインタフェース７７へのコネクトを行うことで、切替元ＶＰ８０から切替先ＶＰ９０への切替を実行する。これにより、図７の切替工程に示すように、切替先ＶＰ９０が張られる。但し、この時点では、切替元ＶＰ８０の残経路（切替元ＶＰ８０における非共通部分）８０Ａである、図６のＡＴＭ−ＭＵＸ７０Ｃの入口からＲＮＣ７４Ｃに至るまでの区間は残存している。
【００５７】
次に、切替の完了を確定するか、切替を取り消すか、切替を延期するかのうち１つが選択される（図１０のＳ５３；図８のＳ２５、Ｓ２６に相当）。
【００５８】
ここで、切替の完了確定が選択されると、切替元のＶＰを廃止するとともに、廃止Ｏｒｄｅｒ及び新設Ｏｒｄｅｒに成功した旨をパス設計システム１０へ応答して図１０の処理を終了する（図１０のＳ５６；図８のＳ２７〜Ｓ３１に相当；図９の判定待ち状態から完了状態への移行に相当）。これにより、切替元ＶＰ８０の残経路（切替元ＶＰ８０における非共通部分）８０Ａ、即ち、図６のＡＴＭ−ＭＵＸ７０Ｃの入口からＲＮＣ７４Ｃに至るまでの区間が廃止される。
【００５９】
また、Ｓ５３で切替の取消しが選択されると、切替元のＶＰへ切り戻し後、切替先のＶＰを廃止するとともに、廃止Ｏｒｄｅｒ及び新設Ｏｒｄｅｒに失敗した旨をパス設計システム１０へ応答して図１０の処理を終了する（図１０のＳ５７；図８のＳ３２〜Ｓ３６に相当；図９の判定待ち状態から初期状態への移行に相当）。これにより、非共通部分９０Ａ、即ち、ＡＴＭ−ＭＵＸ７０Ｃにおけるインタフェース７８とＲＮＣ７４Ｄの間の区間が廃止される。
【００６０】
更に、Ｓ５３で切替の延期が選択されると、切替先のＶＰを復帰可能な状態としたまま切替元のＶＰへ切り戻す（図１０のＳ５４；図８のＳ３７〜Ｓ４０に相当；図９の判定待ち状態から切替待ち状態への移行に相当）。このとき、パス設計システム１０へは、廃止Ｏｒｄｅｒ及び新設Ｏｒｄｅｒに対する応答は何ら返されない（図８のＳ４１に相当）。また、非共通部分９０Ａ、即ち、ＡＴＭ−ＭＵＸ７０Ｃにおけるインタフェース７８とＲＮＣ７４Ｄの間の区間は残存している。
【００６１】
そして、切替を再実行するか否かが選択される（Ｓ５５）。ここで、切替の再実行が選択されると、Ｓ５２へ戻り、切替工程以降の処理を再実行する。一方、切替を再実行せず取り消すよう選択された場合はＳ５７へ進み、切替元のＶＰへ切り戻し後、切替先のＶＰを廃止するとともに、廃止Ｏｒｄｅｒ及び新設Ｏｒｄｅｒに失敗した旨をパス設計システム１０へ応答して図１０の処理を終了する（図１０のＳ５７；図８のＳ３２〜Ｓ３６に相当；図９の判定待ち状態から初期状態への移行に相当）。
【００６２】
以上説明した発明の実施形態によれば、切替時に、切替元のＶＰと切替先のＶＰの両方を復帰可能な状態（図９の判定待ち状態）で保持するため、当該パス切替の不具合や当該パス切替以外の両端の終端装置等に不具合があり切り戻しを行う場合、従来のように切り戻し先のＶＰを再設計し新設する必要はなく、切替元のＶＰへの切り戻しを容易に行うことができる。即ち、ＶＰ切替における切り戻し作業の負荷を軽減するとともに、切り戻し作業の時間短縮を図ることができる。
【００６３】
また、オペレーションシステム１００は、切替の構成、切替実行タイミング及び切替実行結果をパス設計システム１０に対し隠蔽したまま、パス設計システム１０からの切替元のＶＰの廃止指示及び切替先のＶＰの新設指示に対し、当該廃止の成否及び当該新設の成否のみをパス設計システム１０に応答することが可能となる。このため、パス設計システム１０は、一切の影響を受けず、システムの変更等を要しない。
【００６４】
【発明の効果】
以上説明したように、本発明によれば、切替時に、切替元のパスと切替先のパスの両方を復帰可能な状態で保持するため、当該パス切替の不具合や当該パス切替以外の両端の終端装置等に不具合があり切り戻しを行う場合、従来のように切り戻し先のパスを再設計し新設する必要はなく、当該切替元のパスへの切り戻しを容易に行うことができる。即ち、パス切替における切り戻し作業の負荷を軽減するとともに、切り戻し作業の時間短縮を図ることができる。
【００６５】
また、通信ネットワーク管理システムは、切替の構成、切替実行タイミング及び切替実行結果を設計システムに対し隠蔽したまま、設計システムからの切替元のパスの廃止指示及び切替先のパスの新設指示に対し、当該廃止の成否及び当該新設の成否のみを設計システムに応答することが可能となる。このため、設計システムは、一切の影響を受けず、システムの変更等を要しないという利点もある。
【図面の簡単な説明】
【図１】発明の実施形態に係る移動通信ネットワーク管理におけるオペレーションシステムの構成例および該オペレーションシステムの管理対象となる管理対象装置の一例を示す図である。
【図２】送信Ｏｒｄｅｒのイメージを示す図である。
【図３】パス設計システムの構成例を示す図である。
【図４】ＮＭＳの構成例を示す図である。
【図５】ＮＥ管理システムの構成例を示す図である。
【図６】ＶＰ切替動作の環境を示す図である。
【図７】ＶＰ切替に関する事前作業を示すシーケンス図である。
【図８】ＶＰ切替に関する当夜作業を示すシーケンス図である。
【図９】切り戻し動作と状態管理を説明するための図である。
【図１０】ＶＰの切替処理手順を示す流れ図である。
【符号の説明】
１０…パス設計システム、１１…オペレーティング・システム、１２、１７、２４、２９、５４…業務用アプリケーション、１３、１６…データベース・サーバーアクセスインタフェース、１４、２１、２６、５１…オペレーティング・システム、１５、２２、２７、５２…関係データベース管理システム（ＲＤＢＭＳ）、１８、２３、３０、５３…通信用ＡＰＩ、２０…ＮＭＳ、２５、２８、５５…冗長構成共通ＡＰＩ、３０…ＮＥ管理システム、３１、３２…ＮＥメディエーション、７７、７８…インタフェース、８０…切替元ＶＰ、９０…切替先ＶＰ、９０Ａ…非共通部分、１００…オペレーションシステム、２００、７４Ｃ、７４Ｄ…ＲＮＣ、３００、４００…ＡＴＭ−ＭＵＸ、５００、７０Ａ、７０Ｂ、７０Ｃ、７０Ｄ…ＡＴＭ−Ｓ−ＭＵＸ、６００、７２…無線基地局。
【図１】
2004187169.tif 000003
【図２】
2004187169.tif 000004
【図３】
2004187169.tif 000005
【図４】
2004187169.tif 000006
【図５】
2004187169.tif 000007
【図６】
2004187169.tif 000008
【図７】
2004187169.tif 000009
【図８】
2004187169.tif 000010
【図９】
2004187169.tif 000011
【図１０】
2004187169.tif 000012